(57)【要約】【課題】  テレビ電話の着信時に音声通話をする場合には、動画像の送信を停止することができる携帯通信端末を提供する。【解決手段】  無線部１は基地局（図示せず）との間で送受信を行う。制御部２は携帯通信端末本体の各部を制御する。操作部３は入力された使用者の要求や指示を制御部２に送出する。表示部４は制御部２からの信号により表示する。カメラ５は動画や静止画を撮影して、ディジタル信号に変換して制御部２に送出する。センサ６は携帯通信端末１０の状態が通常の音声電話のように耳に接近しているか、顔の前方に持ってきてテレビ電話をしているかを検出する。スピーカ７は無線部１で受信した音声あるいは着信音、アラーム音などを出力する。マイク８は音声を集音して電気信号に変換し、その電気信号を制御部２に送出する。【選択図】      図１
2005217594.tif 000002
【特許請求の範囲】
【請求項１】
テレビ電話などの高速データ通信を利用できる携帯通信端末であって、該携帯通信端末本体の使用状態を検知する検知手段と、テレビ電話を着信した時に検知されたセンサ情報に基づいて動画像データの送信を制御する制御手段と、を具備したことを特徴とする携帯通信端末。
【請求項２】
テレビ電話などの高速データ通信を利用できる携帯通信端末であって、該携帯通信端末本体の使用状態を検知する検知手段と、テレビ電話を着信した時に検知されたセンサ情報に基づいて動画像データの送信を制御するとともに、送信データ量に応じた通信レートに切り換える制御手段と、を具備したことを特徴とする携帯通信端末。
【請求項３】
前記検知手段は、該携帯通信端末本体が通常の音声電話位置（使用者の耳の近傍）にあるか否かを検出することを特徴とする請求項１又は２記載の携帯通信端末。
【請求項４】
前記検知手段は、該携帯通信端末本体を通常の音声電話位置（使用者の耳の近傍）で使用する傾きであるか否かを検出することを特徴とする請求項１又は２記載の携帯通信端末。
【請求項５】
前記制御手段は、テレビ電話を着信した時に前記検知手段によって検知されたセンサ情報に基づいて、通常の動画像データの送信か静止画像データの送信かに切り換える制御を行なうことを特徴とする請求項１、３又は４記載の携帯通信端末。
【請求項６】
前記制御手段は、テレビ電話を着信した時に前記検知手段によって検知されたセンサ情報に基づいて、通常の動画像データの送信か静止画像データの送信かに切り換えるとともに、通信レートを切り換える制御を行なうことを特徴とする請求項２、３又は４記載の携帯通信端末。
【請求項７】
テレビ電話などの高速データ通信を利用できる携帯通信端末であって、該携帯通信端末本体が通常の音声電話位置（使用者の耳の近傍）にあるか否かを検知して距離または傾き情報を出力する検知手段と、前記検知手段が通常の音声電話位置にあることを検知したときに、テレビ電話による通話の場合、通常の動画像データから静止画像データの送信または画像の送信停止に切り替える制御を行う制御手段と、を備えたことを特徴とする携帯通信端末。
【請求項８】
テレビ電話などの高速データ通信を利用できる携帯通信端末であって、該携帯通信端末本体が通常の音声電話位置（使用者の耳の近傍）にあるか否かを検知して距離または傾き情報を出力する検知手段と、前記検知手段が通常の音声電話位置にあることを検知したときに、テレビ電話による通話の場合、通常の動画像データから静止画像データの送信または画像の送信停止に切り替えるとともに、送信データ量に応じた通信レートに切り換える制御を行なうことを特徴とする携帯通信端末。
【請求項９】
テレビ電話などの高速データ通信を利用できる携帯通信端末の着信処理方法であって、テレビ電話を着信した時に、該携帯通信端末本体を通常の音声電話位置（使用者の耳の近傍）で使用していることを検知した場合に、動画像データの送信を停止することを特徴とする携帯通信端末の着信処理方法。
【請求項１０】
テレビ電話などの高速データ通信を利用できる携帯通信端末の着信処理方法であって、テレビ電話を着信した時に、該携帯通信端末本体を通常の音声電話位置（使用者の耳の近傍）で使用していることを検知した場合に、動画像データの送信を停止するとともに送信データ量に応じた通信レートに切り換えることを特徴とする携帯通信端末の着信処理方法。
【発明の詳細な説明】
【技術分野】
【０００１】
本発明は、携帯通信端末に関し、特にテレビ電話などの高速データ通信を利用できる携帯通信端末に関する。
【背景技術】
【０００２】
従来のこの種の携帯通信端末は、カメラと受話部（スピーカ）とを下方に配置したモニタ側に対して、所定の角度で傾斜させる構成とすることにより、使用者がモニタに向いた状態、いわゆるハンズフリー状態でテレビ電話を使用する場合にも、通信相手に違和感のな動画像を送ることができるとしている（例えば、特許文献１参照。）。
【０００３】
しかしながら、人ごみの中などでテレビ電話を着信した場合、他人への迷惑が掛からないように、通常の音声電話として応答すると通信相手に違和感のある動画像を送信してしまうという問題がある。
【０００４】
【特許文献１】特開２０００−３３３１４６号公報
【発明の開示】
【発明が解決しようとする課題】
【０００５】
上述した従来の携帯通信端末は、テレビ電話を着信したまま通常の音声電話状態で通話を行う場合には、通信相手に違和感のある動画像を送信してしまうという欠点がある。
【０００６】
本発明の目的は、このような従来の欠点を除去するため、テレビ電話の着信があった場合、他人に迷惑を掛けないように耳に受話部をつけて話す（通常の音声電話状態）時には、動画像（動画像）データを静止画像データの送信に切り換えることが可能な携帯通信端末を提供することにある。
【課題を解決するための手段】
【０００７】
本発明の携帯通信端末は、テレビ電話などの高速データ通信を利用できる携帯通信端末であって、該携帯通信端末本体の使用状態を検知する検知手段と、テレビ電話を着信した時に検知されたセンサ情報に基づいて動画像データの送信を制御する制御手段と、を具備したことを特徴としている。
【０００８】
また、本発明の携帯通信端末は、テレビ電話などの高速データ通信を利用できる携帯通信端末であって、該携帯通信端末本体の使用状態を検知する検知手段と、テレビ電話を着信した時に検知されたセンサ情報に基づいて動画像データの送信を制御するとともに、送信データ量に応じた通信レートに切り換える制御手段と、を具備したことを特徴としている。
【０００９】
また、前記検知手段は、該携帯通信端末本体が通常の音声電話位置（使用者の耳の近傍）にあるか否かを検出することを特徴としている。
【００１０】
また、前記検知手段は、該携帯通信端末本体を通常の音声電話位置（使用者の耳の近傍）で使用する傾きであるか否かを検出することを特徴としている。
【００１１】
また、前記制御手段は、テレビ電話を着信した時に前記検知手段によって検知されたセンサ情報に基づいて、通常の動画像データの送信か静止画像データの送信かに切り換える制御を行なうことを特徴としている。
【００１２】
また、前記制御手段は、テレビ電話を着信した時に前記検知手段によって検知されたセンサ情報に基づいて、通常の動画像データの送信か静止画像データの送信かに切り換えるとともに、通信レートを切り換える制御を行なうことを特徴としている。
【００１３】
また、本発明の携帯通信端末は、テレビ電話などの高速データ通信を利用できる携帯通信端末であって、該携帯通信端末本体が通常の音声電話位置（使用者の耳の近傍）にあるか否かを検知して距離または傾き情報を出力する検知手段と、前記検知手段が通常の音声電話位置にあることを検知したときに、テレビ電話による通話の場合、通常の動画像データから静止画像データの送信または画像の送信停止に切り替える制御を行う制御手段と、を備えたことを特徴としている。
【００１４】
また、本発明の携帯通信端末は、テレビ電話などの高速データ通信を利用できる携帯通信端末であって、該携帯通信端末本体が通常の音声電話位置（使用者の耳の近傍）にあるか否かを検知して距離または傾き情報を出力する検知手段と、前記検知手段が通常の音声電話位置にあることを検知したときに、テレビ電話による通話の場合、通常の動画像データから静止画像データの送信または画像の送信停止に切り替えるとともに、送信データ量に応じた通信レートに切り換える制御を行なうことを特徴としている。
【００１５】
また、本発明の携帯通信端末の着信処理方法は、テレビ電話などの高速データ通信を利用できる携帯通信端末の着信処理方法であって、テレビ電話を着信した時に、該携帯通信端末本体を通常の音声電話位置（使用者の耳の近傍）で使用していることを検知した場合に、動画像データの送信を停止することを特徴としている。
【００１６】
また、本発明の携帯通信端末の着信処理方法は、テレビ電話などの高速データ通信を利用できる携帯通信端末の着信処理方法であって、テレビ電話を着信した時に、該携帯通信端末本体を通常の音声電話位置（使用者の耳の近傍）で使用していることを検知した場合に、動画像データの送信を停止するとともに送信データ量に応じた通信レートに切り換えることことを特徴としている。
【発明の効果】
【００１７】
本発明の携帯通信端末によれば、テレビ電話の着信があった場合、通常の音声電話を受けるように耳に受話部をつけて話す時には、動画像の送信から静止画像の送信に切り替える制御を行う。これにより、通信相手に違和感のある動画像の送信を防ぐ効果がある。
【発明を実施するための最良の形態】
【００１８】
次に、本発明を実施するための最良の形態の動作について図面を参照して説明する。図１は、本発明の実施の形態の携帯通信端末の概略構成を示すブロック図である。
【００１９】
図１に示す本実施の形態の携帯通信端末１０は、無線部１、制御部２、操作部３、表示部４、カメラ５、センサ６、スピーカ７およびマイク８を備えて構成されている。
【実施例１】
【００２０】
図１によると、無線部１はアンテナを備え基地局（図示せず）との間で所定の周波数帯域の電波による送受信を行う。
【００２１】
制御部２は、無線部１から出力された受信信号および操作部３からの信号を解析するとともに、携帯通信端末本体の各部をプログラム制御により、画像伝送を伴った通信を実現する。また、制御部２用のプログラム、画像データ、通信レート設定テーブル等を格納するメモリを備える。
【００２２】
操作部３は、例えばテンキーや各種機能キーにより構成され、入力された使用者の要求や指示を制御部２に送出する。
【００２３】
表示部４は、例えばＬＣＤ等の表示装置により構成され、動画、静止画および文字列、あるいは端末の動作や設定状態などを、制御部２からの信号により表示する。
【００２４】
カメラ５は、例えば、ＣＣＤカメラ等で構成され、動画や静止画を撮影して、ディジタル信号に変換して制御部２に送出する。
【００２５】
センサ６は、携帯通信端末１０の使用状態が通常の音声電話のように耳に接近しているか、顔の前方に持ってきてテレビ電話をしているかを検出する。センサ６としては、距離の遠近を検出する赤外線センサあるいは予め設定された傾きの度合いを検出する傾きセンサなどが使用される。
【００２６】
スピーカ７は、無線部１で受信した音声あるいは着信音、アラーム音などを出力する。
【００２７】
マイク８は、音声を集音して電気信号に変換し、その電気信号を制御部２に送出する。
【００２８】
次に、テレビ電話の着信があった場合の着信処理について、図を参照し説明する。図２は、テレビ電話の着信があった場合の着信処理を示すフロ−図である。
【００２９】
制御部２は、待ち受け中（Ｓ１０）にテレビ電話の着信があると応答（Ｓ１１）し、表示部４あるいはスピーカ７の機能を利用して使用者に通知する。
【００３０】
使用者は、テレビ電話の着信を知ると、操作部３を操作して通話を開始する。このとき、表示部４を見ながら使用する（通常のテレビ電話状態）か、人ごみの中にいるなどを意識して耳元に受話部を近づけて通話を始める（通常の音声電話状態）かを決める。
【００３１】
センサ６は、使用者が携帯通信端末１０を使用する状態として、耳元に受話部を近づけて通話を開始しているか否かを検出する（Ｓ１２）。使用者が耳元（身体）に受話部を接近させていることを感知すると、通常の音声電話を行っていることを示す信号を制御部２に通知する。また、使用者が携帯通信端末１０を目の前に持ってくる（耳元から遠ざける）と、テレビ電話を行っていることを示す信号を制御部２に通知する。
【００３２】
制御部２は、使用者が耳元に受話部を近づけて通話（通常の音声電話）をしている情報をセンサ６から受けた場合には、カメラ５から供給される動画像データの送信停止、もしくはカメラ５で写した、あるいは制御部２に予め記憶された静止画像データの送信に切り替える制御を行う（Ｓ１３）。
【００３３】
使用者は、音声電話状態（Ｓ２０）またはテレビ電話状態（Ｓ３０）で通話を行っている内、携帯通信端末１０を持ち替えることがある。この場合、センサ６は、通話状態が変化したとして、通話状態に応じた情報を制御部２に通知する。
【００３４】
制御部２は、センサ６から出力された情報により、通常の音声電話またはテレビ電話の状態のいずれかを判断して（Ｓ２１）、通常の音声電話状態の場合には動画像データの送信オフ（Ｓ２２）、またはテレビ電話状態の場合には動画像データの送信オン（Ｓ３１）を制御する。
【００３５】
このように、待ち受け中にテレビ電話の着信があったとき、使用者が通常の音声電話位置（使用者の耳元近傍）で通話を行うか否かを検出し、通常の音声電話の場合には、通信相手に違和感のある動画像データの送信を防止することができる。
【実施例２】
【００３６】
次に、本発明の実施例２について図３により説明する。図３は、使用状態により通信レートを切り替える場合を示すフロー図である。
【００３７】
図３によると、動画像データの送信を停止するとき、これに伴って通信レートを切り替える処理を追加したことが図２と異なっている。
【００３８】
制御部２は、待ち受け中（Ｓ１０）にテレビ電話の着信があると応答（Ｓ１１）し、表示部４あるいはスピーカ７の機能を利用して使用者に通知する。また、制御部２は、使用者が耳元に受話部を近づけて通話をしている情報をセンサ６から受けた場合には、図２のステップＳ１３と同様に動画像データの送信停止、もしくは静止画像データの送信に切り替える制御を行う（Ｓ１３）。この時さらに、通信レートを下げる切換制御を行なう（Ｓ１４）。また、通常の音声電話（Ｓ２０）あるいはテレビ電話（Ｓ３０）が開始された後に、センサ６は使用者が携帯通信端末１０を移動したことを検出すると、変化した状態に応じた信号を制御部２に通知する。
【００３９】
制御部２は、センサ６からの情報に基づいて通常の音声電話状態あるいはテレビ電話状態の判定を行なう（Ｓ２１）。音声電話からテレビ電話へ移行した場合には、動画像データの送信オン（Ｓ３１）とともに通信レートを上げる切替制御（Ｓ３２）を行い、テレビ電話を支障なく行なう状態（Ｓ３０）に入る。また、テレビ電話から音声電話へ移行した場合には、動画像データの送信オフ（Ｓ２２）とともに通信レートを下げる切替制御（Ｓ２３）を行って音声電話状態になる（Ｓ２０）。
【００４０】
このように、動画像の送信をオフ状態とする場合には、通信レートを動画像用から静止画用に切り替え制御することにより、無線リソースの有効活用を図り、通信コストを削減することが可能となる。
【実施例３】
【００４１】
次に、本発明の実施例３について図４により説明する。図４は、テレビ電話の着信を検知できるテレビ電話サービスを利用した場合の着信処理を示すフロー図である。
【００４２】
携帯電話のテレビ電話サービスにおいては、着信時にテレビ電話の着信か音声電話の着信かが検出できる仕組みが施されている。着信時にテレビ電話の着信か音声電話の着信かがわかる仕組みになっていることを利用すれば、着信して通話に入る時点で、音声電話の場合には、送信画像を停止して通常の音声通話状態に移行することが可能になる。
【００４３】
このため、使用者は、テレビ電話用または音声電話用の応答キーを操作部３に設定しておくことにより、通話に入った時点ですでに、送信画像をオフにして通常の音声電話に移行することが可能になる。この時のキー操作は、例えば、複数のボタンを同時に押すか、長押しするなどが可能である。その後、制御部２は音声電話とテレビ電話との間の状態変化に応じて、自動的に動画像の送信オン／オフを制御する。
【００４４】
図４は、使用者は操作するキーにより、音声電話状態（Ｓ２０）とテレビ電話状態（Ｓ３０）とを選択することになるため、処理フローが簡略化されている。
【００４５】
このように、テレビ電話の着信であっても、周囲の迷惑を判断して、音声電話とした場合に、動画像の受け手に対して不快感を与える動画像の送信を停止することができる。
【００４６】
また、音声電話とした場合には、待ち受け画面あるいは任意の疑似画面などを送信するようにすることで、ユーザにストレスを感じさせないよう、テレビ電話を使用することができる。
【図面の簡単な説明】
【００４７】
【図１】本発明の実施の形態の携帯通信端末の概略構成を示すブロック図である。
【図２】テレビ電話の着信があった場合の着信処理を示すフロ−図である。
【図３】使用状態により通信レートを切り替える場合を示すフロー図である。
【図４】テレビ電話の着信を検知できるテレビ電話サービスを利用した場合の着信処理を示すフロー図である。
【符号の説明】
【００４８】
１０    携帯通信端末
１    無線部
２    制御部
３    操作部
４    表示部
５    カメラ
６    センサ
７    スピーカ
８    マイク
【図１】
2005217594.tif 000003
【図２】
2005217594.tif 000004
【図３】
2005217594.tif 000005
【図４】
2005217594.tif 000006